(57)【要約】【課題】  コーン型スピーカーと、コーン型スピーカーの振動板開口部に取り付けられる高音用スピーカーと、コーン型スピーカーと高音用スピーカーとを連結するジョイント部材とを備えた複合スピーカーに関し、新たなジョイント部材の設計を抑制し、音響特性が優れた複合スピーカーを提供する。【解決手段】  本発明の複合スピーカーは、ジョイント部材が、第１スピーカーと第２スピーカーとの離隔距離を複数段階に変更する距離変更機構を有し、第１連結部材または第２連結部材のいずれか一方が、複数の係合段を含む階段状段部を有し、その他方が、階段状段部の係合段に係合する係合リブを有し、第１連結部材または第２連結部材のいずれか一方が有する軸部を、他方が有する軸受部に対して回動する場合に、係合リブが、階段状段部のいずれかの係合段に係合して、離隔距離を変更する。【選択図】  図１
2010177723.tif 000002
【特許請求の範囲】
【請求項１】
コーン型振動板を備える第１スピーカーと、該第１スピーカーの振動板開口部に取り付けられる第２スピーカーと、該第１スピーカーと該第２スピーカーとを連結して該第１スピーカーと該第２スピーカーとの離隔距離を複数段階に変更する距離変更機構を有するジョイント部材と、を備えた複合スピーカーであって、
該ジョイント部材が、該第１スピーカーと連結する第１連結部材と、該第２スピーカー並びに該第１連結部材と連結する第２連結部材と、を含み、
該第１連結部材または該第２連結部材のいずれか一方が、複数の係合段を含む階段状段部を有し、該第１連結部材および該第２連結部材の他方が、該階段状段部の該係合段に係合する係合リブを有し、
該第１連結部材または該第２連結部材のいずれか一方が有する軸部を、該第１連結部材または該第２連結部材の他方が有する軸受部に対して回動する場合に、該係合リブが、該階段状段部のいずれかの該係合段に係合して、該離隔距離を変更する、
複合スピーカー。
【請求項２】
前記第１連結部材または前記第２連結部材のいずれか一方が、前記軸受部に形成されるロック爪を有し、該第１連結部材または該第２連結部材の他方が、該ロック爪に係合する複数のロック孔を有する、
請求項１に記載の複合スピーカー。
【請求項３】
前記ロック孔が、円柱状の前記軸部の中心軸に略直交する貫通孔であり、該ロック孔に係合した前記ロック爪の先端部が押し込み可能に露出し、該ロック爪の該先端部が押し込まれる場合に該係合を解除する、
請求項２に記載の複合スピーカー。
【請求項４】
前記ジョイント部材が、前記軸部に軸支されて、前記第１連結部材と該第２連結部材との間に弾性力を作用させるバネ部材をさらに備える、
請求項１から３のいずれかに記載の複合スピーカー。
【請求項５】
前記軸部および前記軸受部が、それぞれの中心軸を含んで連通する貫通孔を有し、該貫通孔の内部に、前記第２スピーカーへの入力信号を供給する接続線が配置されている、
請求項１から４のいずれかに記載の複合スピーカー。
【発明の詳細な説明】
【技術分野】
【０００１】
本発明は、複合スピーカーに関し、特に、コーン型スピーカーと、コーン型スピーカーの振動板開口部に取り付けられる高音用スピーカーと、コーン型スピーカーと高音用スピーカーを連結するジョイント部材と、を備えた複合スピーカーに関する。
【背景技術】
【０００２】
複合スピーカーには、コーン型スピーカーと、コーン型スピーカーの振動板開口部に取り付けられる高音用スピーカーと、コーン型スピーカーと高音用スピーカーを連結するジョイント部材と、を備えた同軸スピーカーがある。例えば、樹脂成型部材により成型されるジョイント部材の長さおよび形状は、コーン型スピーカーおよび高音用スピーカーの構成により、コーン型振動板と高音用スピーカーの磁気回路部が接触しないように設定される。あわせて、ジョイント部材は、複合スピーカーとしてコーン型スピーカーと高音用スピーカーを組み合わせた場合に、音響特性が最も改善されるように、その長さを調整される。また、高音用スピーカーには、ジョイント部材を介して、音声入力信号が供給される場合がある。
【０００３】
例えば、従来には、コーン型振動板を備える第１スピーカーと、第１スピーカーの振動板開口部に取り付けられる第２スピーカーと、第１スピーカーと第２スピーカーとを連結するジョイント部材と、を備えた同軸スピーカーであって、ジョイント部材が、第１スピーカーの磁気回路と連結する第１連結部と、第２のスピーカーの磁気回路と連結する第２連結部と、略円柱形状をなす円柱部と、第１直径、第２直径および外周曲面から規定されて円柱部および第２連結部を連結する円錐台部と、を有し、円錐台部を規定する第１直径が円柱部の外径直径と等しい、同軸スピーカーがある（特許文献１）。
【０００４】
また、従来の高音用スピーカー部及び低音用スピーカー部を備えた同軸型スピーカーにおいては、高音用スピーカー部を低音用スピーカー部に対して着脱可能とするものがある。あるいは、高音用スピーカー部のハウジングに装着したプリント基板上にコネクタ手段を設ける共に、音声信号を伝達するリード線の一端を前記コネクタ手段に接続することにより、前記高音用スピーカー部に音声信号を供給する同軸型スピーカーがある（特許文献２）。
【０００５】
また、従来の複合スピーカーでは、ウーファーの磁気回路に固定されコーン中心より突出した基台と、基台に固定され先端がウーファーの開口部と略同一高さに位置するように形成されたＵ字状の支持アームと、支持アームの先端に回動自在に取り付けられたスコーカーおよびツィーターと、を備え、中高音域の音軸方向を変えられるようにし、忠実な再生音を聴取できるようにする複合型スピーカーシステムがある（特許文献３）。
【０００６】
また、従来には、高音再生用スピーカーが低音精製用スピーカーに結合された保持具に結合されて支持された複合型スピーカーにおいて、保持具が高音用スピーカーの底部に固定されたプリント基板及び当該プリント基板にハンダ付けされた付属電気部品を収容する収容部と、プリント基板にハンダ付けされたリード線を導出するため保持具の内面に形成された溝とを具備する複合型スピーカーがある（特許文献４）。
【先行技術文献】
【特許文献】
【０００７】
【特許文献１】特開２００５−３０３４８４号公報  （第１〜２図）
【特許文献２】特開平６−２６９０７６号公報  （第１〜１３図）
【特許文献３】実公昭６３−４２７８９号公報  （第１〜４図）
【特許文献４】実公平３−５２０７１号公報  （第１〜６図）
【０００８】
しかしながら、従来技術の複合スピーカーでは、コーン型スピーカーのコーン型振動板の前面にジョイント部材を用いて高音用スピーカーを取り付け、同軸スピーカーとして組み合わせる場合に、コーン型振動板と高音用スピーカーの振動板との離隔距離を、所定の範囲で長く又は短く調整することが望まれる場合がある。既存のジョイント部材では、２つの振動板の離隔距離が固定されてしまうので、特定の周波数でディップを生じるなど、複合スピーカーとしての音響特性が不十分となる場合がある。また、コーン型スピーカーと高音用スピーカーとの組み合わせが変更されると、ジョイント部材を新たに設計する必要が生じる場合がある。
【発明の概要】
【発明が解決しようとする課題】
【０００９】
本発明は、上記の従来技術が有する問題を解決するためになされたものであり、その目的は、複合スピーカーに関し、特にコーン型スピーカーと、コーン型スピーカーの振動板開口部に取り付けられる高音用スピーカーと、コーン型スピーカーと高音用スピーカーとを連結するジョイント部材とを備えた複合スピーカーに関し、新たなジョイント部材の設計を抑制し、音響特性が優れた複合スピーカーを提供することにある。
【課題を解決するための手段】
【００１０】
本発明の複合スピーカーは、コーン型振動板を備える第１スピーカーと、第１スピーカーの振動板開口部に取り付けられる第２スピーカーと、第１スピーカーと第２スピーカーとを連結するジョイント部材と、を備えた複合スピーカーであって、多くの場合において、第２スピーカーは高音用スピーカーである。本発明の複合スピーカーのジョイント部材は、第１スピーカーと第２スピーカーとの離隔距離を複数段階に変更する距離変更機構を有する。
【００１１】
具体的には、本発明の複合スピーカーは、ジョイント部材が、第１スピーカーと連結する第１連結部材と、第２スピーカー並びに第１連結部材と連結する第２連結部材と、を含み、第１連結部材または第２連結部材のいずれか一方が、複数の係合段を含む階段状段部を有し、第１連結部材および第２連結部材の他方が、階段状段部の係合段に係合する係合リブを有し、第１連結部材または第２連結部材のいずれか一方が有する軸部を、第１連結部材または第２連結部材の他方が有する軸受部に対して回動する場合に、係合リブが、階段状段部のいずれかの係合段に係合して、離隔距離を変更する。
【００１２】
好ましくは、本発明の複合スピーカーは、第１連結部材または第２連結部材のいずれか一方が、軸受部に形成されるロック爪を有し、第１連結部材または第２連結部材の他方が、ロック爪に係合する複数のロック孔を有する。
【００１３】
好ましくは、本発明の複合スピーカーは、ロック孔が、円柱状の軸部の中心軸に略直交する貫通孔であり、ロック孔に係合したロック爪の先端部が押し込み可能に露出し、ロック爪の先端部が押し込まれる場合に係合を解除する。
【００１４】
好ましくは、本発明の複合スピーカーは、ジョイント部材が、軸部に軸支されて、第１連結部材と第２連結部材との間に弾性力を作用させるバネ部材をさらに備える。
【００１５】
好ましくは、本発明の複合スピーカーは、軸部および軸受部が、それぞれの中心軸を含んで連通する貫通孔を有し、貫通孔の内部に、第２スピーカーへの入力信号を供給する接続線が配置されている。
【００１６】
以下、本発明の作用について説明する。
【００１７】
本発明の複合スピーカーは、コーン型振動板を備える第１スピーカーと、第１スピーカーの振動板開口部に取り付けられる第２スピーカーと、第１スピーカーと第２スピーカーとを連結するジョイント部材と、を備えた複合スピーカーであって、多くの場合において、第２スピーカーは高音用スピーカーである。本発明の複合スピーカーでは、ジョイント部材は、第１スピーカーの磁気回路と連結する第１連結部材と、第２スピーカーの磁気回路並びに第１連結部材と連結する第２連結部材と、から構成され、第１スピーカーと第２スピーカーとの離隔距離を複数段階に変更する距離変更機構を有する。
【００１８】
この離隔距離は、音波を放射する方向についての第１スピーカーの第１振動板と、第２スピーカーの第２振動板と、の相対的な距離の代表値であり、ジョイント部材の全長を伸縮させることで、変化する距離である。第１スピーカーおよび第２スピーカーのそれぞれの再生帯域が重複する周波数帯域では、第１振動板と第２振動板とからの再生音波が干渉するので、距離変更機構によって離隔距離を複数段階に変更することで、この周波数帯域での音響特性を調整できる。
【００１９】
距離変更機構によりその全長が伸縮するジョイント部材は、例えば、一方の第１連結部材が、軸受部と、軸受部に形成されるロック爪と、軸受部の周囲に形成される複数の係合段を含む階段状段部と、を有し、他方の第２連結部材が、軸受部に係合する軸部と、階段状段部の係合段に係合する係合リブと、ロック爪に係合する複数のロック孔と、を有する。このロック孔は、円柱状の軸部の中心軸に略直交する外側曲面に設けられた貫通孔であり、ロック爪の先端部がこれらのロック孔にいずれかに係合する。
【００２０】
つまり、本発明の複合スピーカーでは、ジョイント部材の距離変更機構が、第２スピーカーならびに第２連結部材を第１連結部材に対して回動する場合に、一方に設けられる係合リブが、他方に設けられる階段状段部のいずれかの係合段に係合し、ジョイント部材の全長を変更することができる。ロック爪は、階段状段部のそれぞれの係合段に対応するロック孔に係合するので、階段状段部の設定に応じて、複合スピーカーにおける離隔距離を変更して固定することができる。また、複合スピーカーの製造者またはユーザーは、軸部のロック孔からロック爪の先端部が押し込み可能に露出するので、ロック爪の先端部を押し込むことで係合を解除して、ジョイント部材の全長を所定の別の長さに変更することも容易である。
【００２１】
ジョイント部材の距離変更機構は、複数の係合段を含む階段状段部と、この階段状段部の係合段に係合する係合リブと、を、第１連結部材または第２連結部材がそれぞれ有していれば良く、ロック爪とロック孔との組み合わせによってジョイント部材の全長を所定の別の長さに固定する場合に限られない。場合によっては、ジョイント部材が、軸部に軸支されて、第１連結部材と第２連結部材との間に弾性力を作用させるバネ部材をさらに備え、弾性力によって階段状段部の係合段と係合リブとの係合を保ち、他の長さにジョイント部材の全長を変更しても、バネ部材の弾性力によって第１連結部材と第２連結部材とを固定するようにしてもよい。
【００２２】
したがって、ジョイント部材の距離変更機構が、第１スピーカーの第１振動板と第２スピーカーの第２振動板との離隔距離を所定の範囲で長く又は短く調整することができるので、音響特性が優れた複合スピーカーを実現することができる。複合スピーカーの製造者またはユーザーは、第２スピーカーならびに第２連結部材を第１連結部材に対して回動するだけでよい。ジョイント部材を新たに設計する必要が少なくなり、製造コストを削減することができる。
【００２３】
なお、好ましくは、第１連結部材の軸受部と第２連結部材の軸部とが、それぞれの中心軸を含んで連通する貫通孔を有している。本発明の複合スピーカーは、この貫通孔の内部に第２スピーカーへの入力信号を供給する接続線を配置することができ、優れた外観が得られ、音響特性への影響を抑えることができる。
【発明の効果】
【００２４】
本発明の複合スピーカーは、新たなジョイント部材の設計を抑制することができ、また、音響特性が優れた複合スピーカーとすることができる。
【図面の簡単な説明】
【００２５】
【図１】本発明の複合スピーカーについて説明する図である。（実施例１）
【図２】本発明の複合スピーカーのジョイント部材について説明する図である。（実施例１）
【図３】本発明の複合スピーカーについて説明する図である。（実施例２）
【図４】本発明の複合スピーカーのジョイント部材について説明する図である。（実施例２）
【図５】本発明の複合スピーカーについて説明する図である。（実施例２）
【発明を実施するための形態】
【００２６】
以下、本発明の好ましい実施形態による複合スピーカーについて説明するが、本発明はこれらの実施形態には限定されない。
【実施例１】
【００２７】
図１は、本発明の好ましい実施形態による複合スピーカー１について説明する斜視図であり、中心軸Ｏに沿ってそれぞれの構成部品を展開した展開図である。本実施例の複合スピーカー１は、２ｗａｙ型の同軸スピーカーであって、コーン型振動板２１を備える第１スピーカーとしてのコーン型スピーカー２と、コーン型スピーカー２のコーン振動板２１の開口部に取り付けられる第２スピーカーとしての高音用スピーカー３と、コーン型スピーカー２と高音用スピーカー３を連結するジョイント部材１０と、を備えている。高音用スピーカー３へ音声信号を供給する接続線４は、ターミナル５に接続している。なお、図１において、説明に不要な複合スピーカー１の構成の一部は、省略している。
【００２８】
コーン型スピーカー２は、音声信号の全帯域を再生する口径１６ｃｍの動電型のフルレンジスピーカーであって、ポール、マグネットおよびプレートから構成される磁気回路２５と、磁気回路２５の磁気空隙にコイル部分が配置されるボイスコイル２４と、ボイスコイル２４のボビンに結合するコーン型振動板２１とを備える。コーン型振動板２１は、外周端がエッジ２２により自由支持されており、エッジ２２の外周端側は、磁気回路２５に連結するフレーム２３に固定されている。ボイスコイル２４には、音声信号電流がターミナル５から錦糸線を介して供給される。したがって、コーン型スピーカー２は、コーン型振動板２１が中心軸Ｏの前後方向に振動することにより音波を放射する。
【００２９】
一方、高音用スピーカー３は、音声信号の高音域を再生する口径３ｃｍのバランスドーム型のツィーターであって、ポール、マグネットおよびヨークから構成される磁気回路３２と、磁気回路３２の磁気空隙にコイル部分が配置される（図示しない）ボイスコイルと、ボイスコイルに結合する振動板３１とを備え、振動板３１が振動することにより音波を放射する。なお、本実施例の場合には、後述するジョイント部材１０を構成する第２連結部材１２は、磁気回路３２および振動板３１を固定する高音用スピーカー３のフレームとして樹脂で一体に構成されている。なお、図１および図２において、高音用スピーカー３の振動板３１の前面に配置されるイコライザー部材３４は、省略されている。
【００３０】
図２は、コーン型スピーカー２と高音用スピーカー３とを連結するジョイント部材１０を説明する図である。図２（ａ）は、高音用スピーカー３の磁気回路３２を含めてジョイント部材１０の全体構成を示す斜視図であり、図２（ｂ）、図２（ｃ）、図２（ｄ）は、ジョイント部材１０の全長Ｄが変化する様子を示す側面図である。具体的には、ジョイント部材１０は、コーン型スピーカー２の磁気回路２５を構成するポールの頭頂部と連結する第１連結部材１１と、この第１連結部材１１および高音用スピーカー３の磁気回路３２と連結する第２連結部材１２と、から構成されており、それぞれ樹脂により連結可能にされている。
【００３１】
第１連結部材１１は、略柱状に形成された樹脂部材であって、コーン型スピーカー２の磁気回路２５のポールの頭頂部に嵌入されるフック状の取付部１１ａと、円筒状の軸受部１３と、この軸受部１３の中心軸を含んで形成される貫通孔１１ｂと、軸受部１３に形成されるロック爪１４と、軸受部１３の周囲に形成されて複数の係合段（１５ａ、１５ｂ、１５ｃ）を含む階段状段部１５と、を有する。本実施例の第１連結部材１１では、階段状段部１５は、円周上に中心軸を挟んで２カ所に設けられている。
【００３２】
一方、第２連結部材１２も略柱状に形成された樹脂部材であって、高音用スピーカー３の磁気回路３２の底部を固定する固定部１２ａと、第１連結部材１１の軸受部１３に係合する円筒状の軸部１６と、この軸部１６の中心軸を含んで形成される貫通孔１２ｂと、第１連結部材１１の軸受部１３に係合する軸部１６と、ロック爪１４に係合する複数のロック孔１７と、階段状段部１５の係合段に係合する係合リブ１８と、を有する。
【００３３】
したがって、ジョイント部材１０は、コーン型スピーカー２と高音用スピーカー３の離隔距離を３段階に変更する距離変更機構を有しており、図示するように、本実施例のジョイント部材１０の全長は、Ｄａ：約２０ｍｍと、Ｄｂ：約２２ｍｍと、Ｄｃ：約２４ｍｍとの３段階に設定することができる。例えば、ジョイント部材１０の距離変更機構では、高音用スピーカー３が固定される第２連結部材１２を、第１連結部材１１に対して中心軸Ｏを中心にして約１５度以上右回りに回動すると、階段状段部のひとつの係合段１５ｃに係合している係合リブ１８が、次の係合段１５ｂに係合するようになるので、ジョイント部材１０の全長をＤｃからＤｂに短く変更することができる。
【００３４】
また、第２連結部材１２のロック孔１７は、円柱状の軸部１６の中心軸に略直交する外側曲面に設けられた貫通孔であり、ロック爪１４の先端部がこれらのロック孔１７にいずれかに係合する。つまり、ロック爪１４は、階段状段部１５のそれぞれの係合段に対応するロック孔に係合するので、複合スピーカー１の製造段階に於いて、階段状段部１５の設定に応じて、複合スピーカー１における離隔距離を変更して固定することができる。ただし、このジョイント部材１０では、軸部１６のロック孔１７からロック爪１４の先端部が押し込み可能に露出するので、ロック爪１４の先端部を押し込むことで係合を解除して、ジョイント部材１０の全長を所定の別の長さに変更することもできる。
【００３５】
また、ジョイント部材１０では、第１連結部材１１の軸受部１３と第２連結部材１２の軸部１６とが、それぞれの中心軸を含んで連通する貫通孔１１ｂないし１２ｂを有しているので、この貫通孔の内部に高音用スピーカー３への入力信号を供給する接続線４を配置することができる。接続線４の一方端は、第２連結部材１２に設けられる端子３３に接続され、端子３３には高音用スピーカー３のボイスコイルが接続される。この貫通孔１１および１２ｂの内部に接続線４を配置できるので、外観上でも、音響特性への影響の点でも利点がある。なお、ターミナル５に接続して高音用スピーカー３へ音声信号を供給する接続線４は、音声信号帯域を制限する高域通過フィルタ（ＨＰＦ）、あるいは、帯域通過フィルタ（ＢＰＦ）が接続されていてもよい。
【００３６】
なお、本実施例の場合のように、高音用スピーカー３のフレームと、ジョイント部材１１の第２連結部材１２とが、樹脂などにより一体に成形されている場合には、高音用スピーカー３のボイスコイルは、第２連結部材１２の端子３３に直接に接続する、あるいは、リード線又は錦糸線のみを介して接続していればよい。高音用スピーカー３への入力信号を供給する接続線を省略することができれば、製造コストを削減できる。
【００３７】
本実施例の複合スピーカー１は、第２連結部材１２を第１連結部材１１に対して回動してジョイント部材１０の全長を、Ｄａ、Ｄｂ、Ｄｃの３段階に設定することができるので、コーン型スピーカー２のコーン振動板２１と、高音用スピーカー３の振動板３１との相対的な距離である離隔距離を、３段階に変更することができる。離隔距離が変化すると、コーン型スピーカー２および高音用スピーカー３のそれぞれの再生帯域が重複する約１ｋＨｚ以上の周波数帯域では、コーン振動板２１と振動板３１とからの再生音波が干渉する様子が変化するので、複合スピーカー１としての音響特性を調整して、優れた複合スピーカーを実現することができる。
【００３８】
また、複合スピーカー１の製造工程においては、コーン型スピーカー２と高音用スピーカー３との組み合わせが変更されたとしても、ジョイント部材１０を新たに設計する必要が少なくなり、製造コストを削減することができる。ジョイント部材１０の全長を所定の別の長さに変更する場合には、ジョイント部材１０の軸部１６のロック孔１７から押し込み可能に露出するロック爪１４の先端部を、治具等の工具で押し込むことで係合を解除すればよい。もちろん、複合スピーカー１の製造工程において、好ましい全長となるようにジョイント部材１０を調整した後は、第２連結部材１２を第１連結部材１１に対して接着剤等により接着して、その全長を固定しても良い。
【実施例２】
【００３９】
図３は、本発明の他の好ましい実施形態による複合スピーカー１について説明する斜視図であり、中心軸Ｏに沿ってそれぞれの構成部品を展開し、コーン型スピーカー２の一部を断面図とした展開図である。また、図４は、コーン型スピーカー２と高音用スピーカー３とを連結するジョイント部材１０を説明する図である。図４（ａ）は、ジョイント部材１０を構成する第１連結部材１１を説明する斜視図であり、図４（ｂ）は、第２連結部材１２を説明する斜視図であり、図４（ｃ）は、ジョイント部材１０の全体構成を示す斜視図である。
【００４０】
本実施例の複合スピーカー１は、先の実施例の複合スピーカー１と同様であって、コーン型振動板２１を備える第１スピーカーとしてのコーン型スピーカー２と、コーン型スピーカー２のコーン振動板２１の開口部に取り付けられる第２スピーカーとしての高音用スピーカー３と、コーン型スピーカー２と高音用スピーカー３を連結するジョイント部材１０と、を備えている。本実施例の複合スピーカー１は、ジョイント部材１０の具体的な構成を除いて先の実施例の場合とほぼ共通するので、共通する部品および部材には共通する番号を付して、説明を省略する。
【００４１】
また、図５は、本実施例の複合スピーカー１について説明する斜視図である。図５（ａ）は、ジョイント部材１０の第２連結部材１２を第１連結部材１１に対して回動して、全長をＤａに設定する場合であり、図５（ｂ）は、ジョイント部材１０の全長をＤｂ、に設定する場合である。本実施例の複合スピーカー１は、第２連結部材１２を第１連結部材１１に対して回動してジョイント部材１０の全長を、Ｄａ、Ｄｂ、Ｄｃの３段階に設定することができるので、コーン型スピーカー２のコーン振動板２１と、高音用スピーカー３の振動板３１との相対的な距離である離隔距離を、３段階に変更することができる。また、本実施例のジョイント部材１０は、コーン型スピーカー２のボイスコイルへの入力信号の極性と、高音用スピーカー３のボイスコイルへの入力信号の極性と、を反転させる極性反転スイッチ機構を含んでいる。
【００４２】
図４（ａ）に示すように、第１連結部材１１は、略柱状に形成された樹脂部材であって、コーン型スピーカー２の磁気回路２５のポールの頭頂部に嵌入される円柱状の取付部１１ａと、円筒状の軸部１６と、この軸部１６の中心軸を含んで形成される貫通孔１１ｂと、第２連結部材１２の階段状段部１５の係合段に係合する係合リブ１８と、を有する。２カ所に設けられる係合リブ１８は、極性反転スイッチ機構を構成する正極端子片１８Ｐおよび負極端子片１８Ｍをそれぞれ備えており、これらは中心軸Ｏに対して対称な位置に配置されている。正極端子片１８Ｐおよび負極端子片１８Ｍには、貫通孔１１ｂの内部を通って高音用スピーカー３に入力信号を供給する接続線４が接続する。
【００４３】
一方、一部を透過して図４（ｂ）に示すように、第２連結部材１２は、リング状に形成された樹脂部材であって、高音用スピーカー３の磁気回路３２の底部を固定する固定部１２ａと、第１連結部材１１の軸部１６に係合する円筒状の軸受部１３と、中心軸を含んで形成される貫通孔１２ｂと、第２連結部材１２の円筒状の内側曲面に形成される複数の係合段（１５ａ、１５ｂ、１５ｃ）を含み、第１連結部材１１の係合リブ１８が係合する階段状段部１５と、第１連結部材１１の正極端子片１８Ｐまたは負極端子片１８Ｍが接触して導通する正極端子片２０Ｐおよび負極端子片２０Ｍと、を有する。正極端子片２０Ｐおよび負極端子片２０Ｍは、中心軸に対して対称な位置に配置されている。なお、図３に示すように、正極端子片２０Ｐおよび負極端子片２０Ｍは、高音用スピーカー３の端子３３に接続線６を介して接続されている。
【００４４】
また、図４（ｃ）に示すように、本実施例のジョイント部材１０は、第１連結部材１１に軸支されて、第２連結部材１２とコーン型スピーカー２の磁気回路２５のポールの頭頂部との間に狭持されるバネ部材１９をさらに備える。バネ部材１９は、磁気回路２５に固定される第１連結部材１１と第２連結部材１２との間に弾性力を作用させて、この弾性力によって、第１連結部材１１の係合リブ１８と、第２連結部材１２に設けられる階段状段部１５のそれぞれの係合段との係合を保つ。したがって、本実施例のジョイント部材１０は、距離変更機構により他の長さにジョイント部材１０の全長を３段階に変更しても、バネ部材１９の弾性力によって第１連結部材と第２連結部材とを固定することができる。ジョイント部材１０の全長は、Ｄａ：約２０ｍｍと、Ｄｂ：約２２ｍｍと、Ｄｃ：約２４ｍｍとの３段階に設定することができる。
【００４５】
例えば、本実施例のジョイント部材１０の距離変更機構では、図５に示すように、高音用スピーカー３が固定される第２連結部材１２を、バネ部材１９を縮めるように押し込んで、第１連結部材１１に対して中心軸Ｏを中心にして約１２０度程度右回りに回動すると、階段状段部のひとつの係合段１５ａに係合している係合リブ１８が、バネ部材１９の弾性力によって他の係合段１５ｂに係合するようになるので、ジョイント部材１０の全長をＤａからＤｂに長くするように変更できる。
【００４６】
また、本実施例のジョイント部材１０は、距離変更機構に加えて極性反転スイッチ機構を含んでいる。図４（ｃ）に示す場合では、第１連結部材１１の正極端子片１８Ｐが、第２連結部材１２の負極端子片２０Ｍと接触して導通しており、一方で、第１連結部材１１の負極端子片１８Ｍが、第２連結部材１２の正極端子片２０Ｐと接触して導通している。したがって、高音用スピーカー３が固定される第２連結部材１２を、第１連結部材１１に対して中心軸Ｏを中心にして回動すると、第１連結部材１１の正極端子片１８Ｐが、第２連結部材１２の正極端子片２０Ｐと接触して導通し、一方で、第１連結部材１１の負極端子片１８Ｍが、第２連結部材１２の負極端子片２０Ｍと接触して導通するように、極性を反転して切り換えることができる。
【００４７】
例えば、図５に示すように、高音用スピーカー３が固定される第２連結部材１２を、第１連結部材１１に対して中心軸Ｏを中心にして約１２０度程度右回りに回動すると、ジョイント部材１０の全長をＤａからＤｂに長くするだけでなく、コーン型スピーカー２のボイスコイルへの入力信号の極性と、高音用スピーカー３のボイスコイルへの入力信号の極性と、を反転させることができる。その結果、本実施例のジョイント部材１０は、コーン型スピーカー２のコーン振動板２１と、高音用スピーカー３の振動板３１との相対的な距離である離隔距離を、距離変更機構によって３段階に変更し、また、極性反転スイッチ機構によって２組の組み合わせが可能であるので、合計で６通りの音響特性が容易に調整可能になり、調整可能な音響特性の幅も大きくすることができる。
【００４８】
なお、本発明の複合スピーカーのジョイント部材１０は、上記の実施例に限られない。距離変更機構は、第１連結部材１１または第２連結部材１２のいずれか一方が、複数の係合段を含む階段状段部１５を有し、第１連結部材１１または第２連結部材１２の他方が、階段状段部１５の係合段に係合する係合リブ１８を有していればよく、ジョイント部材１０の全長を変更して、コーン型スピーカー２のコーン振動板２１と、高音用スピーカー３の振動板３１との相対的な距離である離隔距離を変更するものであればよい。階段状段部１５は、２段以上の複数の係合段を含んでいれば良く、格段に対応する角度を小さくすることで、細かい距離変更が可能になる。また、第１連結部材１１または第２連結部材１２は、いずれかがロック爪１４またはロック孔１７を備えていてもよく、バネ部材１９を併用してジョイント部材１０の全長を固定してもよい。
【産業上の利用可能性】
【００４９】
本発明の複合スピーカーは、第１スピーカーがコーン型スピーカーである場合に限らず、平面型スピーカーである場合にも有用である。他にも、第２スピーカーが低音域成分を再生するウーファー等を含む複数のスピーカーであってもよい。また、同軸スピーカーといわれる複合スピーカーに限らず、第１スピーカーの振動板の前面にジョイント部材を備えるスピーカーにも適する。
【符号の説明】
【００５０】
１            複合スピーカー
２            コーン型スピーカー
３            高音用スピーカー
４            接続線
５            ターミナル
６            接続線
１０          ジョイント部材
１１          第１連結部材
１２          第２連結部材
１３          軸受部
１４          ロック爪
１５          階段状段部
１６          軸部
１７          ロック孔
１８          係合リブ
１９          バネ部材１９
１８Ｐ、２０Ｐ  正極端子片
１８Ｍ、２０Ｍ  負極端子片
２１          コーン型振動板
２２          エッジ
２３          フレーム
２４          ボイスコイル
２５          磁気回路
３１          振動板
３２          磁気回路
３３          端子
３４          イコライザー部材
【図１】
2010177723.tif 000003
【図２】
2010177723.tif 000004
【図３】
2010177723.tif 000005
【図４】
2010177723.tif 000006
【図５】
2010177723.tif 000007